(57)【要約】  【課題】自動販売機等に搭載可能な温水タンクに関し、タンク内の洗浄やタンク内部品の交換が簡単にでき、比較的安価に断熱効果を得られることを図る。  【解決手段】湯を保温貯蔵するタンク１と、このタンク１の側面に設けた湯吐出口７と、この湯吐出口７に装着した湯吐出弁８と、タンク１の上面を覆う着脱可能なリッド１２と、このリッド１２またはタンク１にヒータ１５及び水供給口１４を設け、１タンクの各面を断熱板で覆い、さらにリッド１２を断熱材でできた取り外し可能なキャップ２４で覆い、前記断熱材をフェノール系樹脂にて発泡成型した平板とする。【選択図】図１
2008217553.tif 000002
【特許請求の範囲】
【請求項１】
湯を保温貯蔵するタンクと、このタンクの側面に設けた湯吐出口と、この湯吐出口に装着した湯吐出弁と、前記タンクの上面を覆う着脱可能なリッドと、このリッドまたは前記タンクにヒータ及び水供給口を設け、前記タンクの各面を断熱板で覆い、前記リッドを取り外し可能な断熱材でできたキャップで覆った自動販売機用温水タンク。
【請求項２】
前記断熱板をフェノール系樹脂にて発泡成型した平板とする請求項１に記載の自動販売機用温水タンク。
【請求項３】
前記タンクと前記断熱板との間に空隙を設けた請求項１または２に記載の自動販売機用温水タンク。
【請求項４】
前記断熱板の各コーナーをテープにて貼りつけた請求項１から３のいずれか一項に記載の自動販売機用温水タンク。
【請求項５】
前記ヒータと直列に繋がり、前記タンクまたは前記リッドに設けた空焚き防止用バイメタルを断熱材で覆った請求項１から４のいずれか一１項に記載の自動販売機用温水タンク。
【発明の詳細な説明】
【技術分野】
【０００１】
本発明は、自動販売機等に搭載可能な温水タンクに関するものである。
【背景技術】
【０００２】
従来、この種の自動販売機に搭載される温水タンクとしては、タンク全体を真空断熱材で覆ったもの（例えば、特許文献１参照）がある。
【０００３】
図３は、特許文献１に記載された従来の自動販売機に搭載される温水タンク１を示すものである。図３に示すように、温水タンク１を真空断熱材１ａでリッド覆うことによりタンクの壁に真空断熱層を構成している。
【特許文献１】特開２００５−３１６５６０号公報
【発明の開示】
【発明が解決しようとする課題】
【０００４】
しかしながら、上記従来の構成では、タンク内の洗浄やタンク内部品の交換の際に断熱材を取り除かなければいけないという課題があった。さらに、タンクには湯吐出口等の熱の逃げ口があり、真空断熱材のような高価な断熱材を用いても、それに見合う有効な断熱効果が得られないという課題があった。
【０００５】
本発明は従来の課題を解決するもので、タンク内の洗浄やタンク内部品の交換が簡単にでき、比較的安価に断熱効果を得られる自動販売機用温水タンクを提供することを目的とする。
【課題を解決するための手段】
【０００６】
前記従来の課題を解決するために、本発明の自動販売機用温水タンクは、湯を保温貯蔵するタンクと、このタンクの側面に設けた湯吐出口と、この湯吐出口に装着した湯吐出弁と、前記タンクの上面を覆う着脱可能なリッドと、このリッドまたは前記タンクにヒータ及び水供給口を設け、前記タンクの各面を断熱板で覆い、前記リッドを断熱材でできた取り外し可能なキャップで覆ったものである。
【０００７】
これによって、キャップとリッドを外すことによりタンク内の洗浄やタンク内部品の交換が簡単にできる。
【０００８】
また、本発明の自動販売機用温水タンクは、断熱板をフェノール系樹脂にて発泡成型した平板とする。
【０００９】
これによって、比較的安価に断熱効果を得られる。
【００１０】
また、本発明の自動販売機用温水タンクは、タンクと断熱板との間に空隙を設けたものである。
【００１１】
これによって、より断熱効果を向上させることができる。また、本発明の自動販売機用温水タンクは、断熱板の各コーナーをテープにて貼りつけたものである。
【００１２】
これによって、断熱板が分解しやすくなり、タンクに堆積した湯垢を除去するときにタンクを薬品に浸漬することができる。
【００１３】
また、本発明の自動販売機用温水タンクは、ヒータと直列に配線され、タンクまたはリッドに設けた空焚き防止用バイメタルを断熱材で覆ったものである。
【００１４】
これによって、バイメタルが常時高温となり、連続通電時にバイメタル自身の抵抗により発熱し、湯タンク内の沸騰時にも働くことになり、沸騰時の安全装置として使用できる。
【発明の効果】
【００１５】
本発明の自動販売機用温水タンクは、タンク内の洗浄やタンク内部品の交換が簡単にでき、比較的安価に断熱効果を得られる。
【発明を実施するための最良の形態】
【００１６】
第１の発明は、湯を保温貯蔵するタンクと、このタンクの側面に設けた湯吐出口と、この湯吐出口に装着した湯吐出弁と、前記タンクの上面を覆う着脱可能なリッドと、このリッドまたは前記タンクにヒータ及び水供給口を設け、前記タンクの各面を断熱板で覆い、前記リッドを断熱材でできた取り外し可能なキャップで覆うことにより、キャップとリッドを外すことによりタンク内の洗浄やタンク内部品の交換が簡単にできる。
【００１７】
第２の発明は、前記断熱板をフェノール系樹脂にて発泡成型した平板とすることにより、比較的安価に断熱効果を得られる。
【００１８】
第３の発明は、前記タンクと前記断熱板との間に空隙を設けることにより、より断熱効果を向上させることができる。
【００１９】
第４の発明は、前記断熱板の各コーナーをテープにて貼りつけることにより、断熱板が分解しやすくなり、タンクに堆積した湯垢を除去するときにタンクを薬品に浸漬することができる。
【００２０】
第５の発明は、前記ヒータと直列に配線され、前記タンクまたは前記リッドに設けた空焚き防止用バイメタルを断熱材で覆うことにより、バイメタルが常時高温となり、連続通電時にバイメタル自身の抵抗により発熱し、湯タンク内の沸騰時にも働くことになり、沸騰時の安全装置として使用できる。
【００２１】
以下、本発明の実施の形態について、図面を参照しながら説明する。なお、この実施の形態によって本発明が限定されるものではない。
【００２２】
（実施の形態１）
図１は、本発明の実施の形態１による自動販売機用温水タンクの側面断面図、図２は同実施の形態の自動販売機用温水タンクの部分平面図である。
【００２３】
図１、図２において、タンク１の底面２および側面四面３をフェノール断熱板４で覆っている。タンク１側面の一部は断熱板４との間に空隙５を設けている。また、各断熱板４のコーナー部はテープ６で固定されている。タンク１の側面３に断熱板４を貫通する湯吐出口７を設け、湯吐出弁８を装着している。
【００２４】
また、タンク１の側面３の湯面９より上方に断熱板４を貫通し外部にタンク１内の圧力を逃がすための連通管１０を設けている。タンク１の上部は開口しており、上辺にパッキン１１を環着している。タンク１の上部にリッド１２を被せ、押さえ板１３により着脱自在にパッキン１１を押圧し固定されている。
【００２５】
リッド１２にはタンク１の底部まで伸びた水供給口１４とヒータ１５と湯温検知素子１６と水位検知装置１７および空焚き防止用バイメタル１８が設けられている。空焚き防止用バイメタル１８とヒータ１５は直列に配線されている。水供給口１４近傍の断熱片１９には長穴２０と切り割り２１が設けられ、断熱板４にテープ６により固定されたＬ字板２２に貼付されている。
【００２６】
Ｌ字板２２には断熱片１９の長穴２０・切り割り２１部の相対位置に切り欠き２３が設けられており、長穴２０から水供給用のチューブやハーネスを着脱自在に貫通させている。キャップ２４は下方が開放され５枚の断熱板２５で構成されており各断熱板２５はコーナー部をテープ２６で固定している。
【００２７】
キャップ２４の下辺２７には柔軟性のあるシールテープ２８が貼付されている。キャップ２４はリッド１２全体を覆い、Ｌ型ピース２９により断熱板４および断熱片１９に押圧し固定されている。
【００２８】
以上のように構成された湯タンクについて、以下その動作を説明する。
【００２９】
販売信号を受け、湯吐出弁８から湯供給口７を通して湯がカップに供給される。湯面９が下がると水位検知装置１７が検知し、水供給口１４よりタンク１内の底部に水が供給される。湯温は９６℃になった時にヒータ１５が切れ、９４℃になった時にヒータ１５が入るように湯温検知素子１６により制御されている。
【００３０】
連通管１０からは、湯面９上方の圧力が高まり湯吐出弁８から出る湯量がばらつかないよう蒸気が排水バケツに排出される。また、湯面９上方の温度は１００℃近くになることがあり、空焚き防止用バイメタル１８は通常時に働かないよう１０５℃になれば切れるように設定されている。
【００３１】
もし、水位検知装置１７が故障しタンク１内が空の状態でヒータ１５が通電してもすぐ空焚き防止用バイメタル１８が切れ、他部品が損傷されることを防止している。また、空焚き防止用バイメタル１８はキャップ２４内にあるため、常時９０度程度に保たれている。
【００３２】
もし、湯温検知素子１６が故障し、ヒータ１５が連続通電して沸騰しても、内部抵抗により空焚き防止用バイメタル１８が１分毎に０．５℃上昇し約３０分で切れ、機械内の部品に影響を与えることはない。また、部品交換・タンク１内の清掃の時は、Ｌ型ピース２９、キャップ２４、押さえ板１３およびリッド１２を取り外す。
【００３３】
以上のように本実施の形態の自動販売機用温水タンクは、湯を保温貯蔵するタンク１と、このタンク１の側面３に設けた湯吐出口７と、この湯吐出口７に装着した湯吐出弁８と、タンク１の上面を覆う着脱可能なリッド１２と、このリッド１２にヒータ１５、水供給口１４、湯温検知素子１６、水位検知装置１７を設け、タンク１の各面を断熱板４で覆い、リッド１２を断熱材（断熱板２５）でできた取り外し可能なキャップ２４で覆うことにより、キャップ２４とリッド１２を外すことによりタンク内の洗浄やタンク内部品の交換が簡単にできる。また、断熱片１９に長穴２０と切り込み２１を設けることによりハーネス等の着脱が容易に行える。
【００３４】
また、従来断熱材として、ポリピロピレン発泡材やグラスウールが用いられていたが、熱伝導率０．０３Ｗ／ｍＫと断熱性能が悪く、断熱板４、２５をフェノール系樹脂にて発泡成型した平板とすることにより、熱伝導率０．０２Ｗ／ｍＫと断熱効率が良く、比較的安価に断熱効果を得られる。
【００３５】
また、タンク１と断熱板４との間に空隙５を設けることにより、空気の熱伝導率は０．０２Ｗ／ｍＫと断熱効率が良く、より断熱効果を向上させることができる。
【００３６】
また、断熱板４の各コーナーをテープ６にて貼りつけることにより、断熱板４が分解しやすくなり、タンク１に堆積した湯垢を除去するときにタンク１を薬品に浸漬することができる。
【００３７】
また、ヒータ１５と直列に配線され、リッド１２に設けた空焚き防止用バイメタル１８をキャップ２４で覆うことにより、空焚き防止用バイメタル１８が常時高温となり、連続通電時に空焚き防止用バイメタル１８自身の抵抗により発熱し、タンク１の沸騰時にも働くことになり、沸騰時の安全装置として使用できる。
【産業上の利用可能性】
【００３８】
以上のように本発明にかかる自動販売機用温水タンクは、自動販売機以外の温水タンクの断熱に使用できる。
【図面の簡単な説明】
【００３９】
【図１】本発明の実施の形態１による自動販売機用温水タンクの側面断面図
【図２】同実施の形態の自動販売機用温水タンクの部分平面図
【図３】従来の自動販売機に搭載される温水タンクの側面断面図
【符号の説明】
【００４０】
１    タンク
４    断熱板
５    空隙
６，２６  テープ
７    湯吐出口
８    湯吐出弁
１２  リッド
１４  水供給口
１５  ヒータ
１８  空焚き防止用バイメタル
２４  キャップ
２５  断熱板（断熱材）
【図１】
2008217553.tif 000003
【図２】
2008217553.tif 000004
【図３】
2008217553.tif 000005